(57)【要約】【課題】  視覚により引き裂き部を確認し難いような場合でも、良好に引き裂き部を認識させることができると共に、正確に安定して開封することができ、以って正確に引き裂き部を開封して内容物を良好に取り出すことができる包装袋を提供する。【解決手段】  このため、本発明に係る包装袋１００は、内容物収容部１０５の上側エンドシール１０３側の端付近から上側エンドシール１０３方向に伸びて形成される注ぎ口１０６と、注ぎ口１０６とは反対側の上側エンドシール１０３の外縁部から注ぎ口１０６付近まで上側エンドシール１０３上に延在される引き裂き誘導疵１１１と、当該引き裂き誘導疵１１１を挟んで両側に延在され引き裂き部が注ぎ口１０６まで円滑に進展するように案内する案内部１１０Ａ，１１０Ｂと、を含んで構成されたこと特徴とする。【選択図】図１
2014162488.tif 000002
【特許請求の範囲】
【請求項１】
連続的に供給される包装フィルムを重畳させて、重畳部分に対して、少なくとも１つのサイドシールと、下側エンドシールと、を施して内容物収容部を形成し、その内部に内容物を充填し、その後に内容物収容部の上側部分に上側エンドシールを施して封止することで生産される包装袋であって、
内容物収容部の上側エンドシール側の端付近から上側エンドシール方向に伸びて形成される注ぎ口と、
注ぎ口とは反対側の上側エンドシールの外縁部から注ぎ口付近まで上側エンドシール上に延在される引き裂き誘導疵と、
当該引き裂き誘導疵を挟んで両側に延在され、引き裂き部が注ぎ口まで円滑に進展するように案内する案内部と、
を含んで構成されたこと特徴とする包装袋。
【請求項２】
前記引き裂き誘導疵の引き裂きの際の起点部に、切り欠き部が形成されることを特徴とする請求項１に記載の包装袋。
【発明の詳細な説明】
【技術分野】
【０００１】
本発明は、連続的に供給される包装フィルムを折り返して重畳部分をシールすることで連続的に生産される包装袋の構造に関する。
【背景技術】
【０００２】
従来、連続的に供給される包装フィルムを搬送方向に沿って折り返して開放側を重畳させ、該重畳部分に対してサイドシール（搬送方向に沿った方向のシール（縦シール））を施して筒状包装袋を形成すると共に、搬送方向と略直交する方向のシール（エンドシール、横シール）を施し、該筒状包装袋内に原料充填ノズルを介して内容物を充填し、その後に筒状包装袋の上側部分にエンドシール（横シール）を施して封止することで３方がシールされた包装体を連続的に形成することが行われている。
【０００３】
この種の包装袋として、例えば、特許文献１には、内容物である液体（例えば、醤油、ソースなど）食用或いは飲用液体を、手を汚すことなく最後まで綺麗に取り出すことができるように、開封した際に所定サイズの注ぎ口（ビン口）が形成されるようにした包装袋が提案されている。このものは、例えば、図９に示すように、密封通路８を設けると共に、エンドシール７に、開口サイズを調整可能にする引き裂き部ａ，ｂ，ｃの少なくとも一つを設けるようにしている。
【０００４】
また、図１０に示すような形状の包装袋も種々提案されている。図１０に示すものは、開封する者が、引き裂き部をつかみ易いように滑り止めとしてディンプル加工（凹凸加工）が施されている。
【０００５】
なお、図１０（Ａ）は、折り返し部側に注ぎ口（ビン口）を設けた場合の例であり、図１０（Ｂ）は、サイドシール（縦シール）側に注ぎ口（ビン口）を設けた場合の例である。
【先行技術文献】
【特許文献】
【０００６】
【特許文献１】特公平６−６２１７４号公報
【発明の概要】
【発明が解決しようとする課題】
【０００７】
しかしながら、上述したような従来の包装袋では、暗い場所などの視覚にとって環境の悪い場所において、或いは老眼その他の視力の弱い者が開封しようとしたときに、引き裂き部（ミシン目）の位置を視覚により明確に把握することが難しい場合があり、予期しない部位を開封してしまうといったおそれがあった。
【０００８】
また、図１０（Ａ）、図１０（Ｂ）に示したように、引き裂き開始点から注ぎ口（ビン口）までの距離が長いものの場合、初期の開封位置は正しくても、開封が斜めになり易く、開封が不十分となって、注ぎ特性が悪くなるといったおそれもあった。
【０００９】
本発明は、このような実情に鑑みなされたもので、簡単かつ低コストな構成でありながら、視覚により引き裂き部を確認し難いような場合でも、良好に引き裂き部を認識させることができると共に、正確に安定して開封することができ、以って正確に引き裂き部を開封して内容物を良好に取り出すことができる包装袋を提供することを目的とする。
【課題を解決するための手段】
【００１０】
このため、本発明に係る包装袋は、
連続的に供給される包装フィルムを重畳させて、重畳部分に対して、少なくとも１つのサイドシールと、下側エンドシールと、を施して内容物収容部を形成し、その内部に内容物を充填し、その後に内容物収容部の上側部分に上側エンドシールを施して封止することで生産される包装袋であって、
内容物収容部の上側エンドシール側の端付近から上側エンドシール方向に伸びて形成される注ぎ口と、
注ぎ口とは反対側の上側エンドシールの外縁部から注ぎ口付近まで上側エンドシール上に延在される引き裂き誘導疵と、
当該引き裂き誘導疵を挟んで両側に延在され、引き裂き部が注ぎ口まで円滑に進展するように案内する案内部と、
を含んで構成されたこと特徴とする。
【００１１】
本発明において、前記引き裂き誘導疵の引き裂きの際の起点部に、切り欠き部が形成されることを特徴とすることができる。
【発明の効果】
【００１２】
本発明によれば、簡単かつ低コストな構成でありながら、視覚により引き裂き部を確認し難いような場合でも、良好に引き裂き部を認識させることができると共に、正確に安定して開封することができ、以って正確に引き裂き部を開封して内容物を良好に取り出すことができる包装袋を提供することができる。
【図面の簡単な説明】
【００１３】
【図１】本発明に係る実施例１の包装袋の全体構成を示す正面図である。
【図２】図１の断面形状の一例を示す断面図である。
【図３】本発明に係る実施例２の包装袋の全体構成を示す正面図である。
【図４】図３の断面形状の一例を示す断面図である。
【図５】注ぎ口（ビン口）を折り返し部側に設けた場合の一例を示す正面図であり、（Ａ）は図１に対応し、（Ｂ）は図３に対応している一例を示す正面図である。
【図６】ミシン目１１１（２１１）の起点部にＶ字状の切り込み１１５（２１５）を形成した場合の一例を示す正面図であり、（Ａ）が図５（Ａ）に対応しており、（Ｂ）が図５（Ｂ）に対応している一例を示す正面図である。
【図７】ミシン目１１１（２１１）の起点部にＬ字状の切り込み１１６（２１６）を形成した場合の一例を示す正面図であり、（Ａ）が図５（Ａ）に対応しており、（Ｂ）が図５（Ｂ）に対応している一例を示す正面図である。
【図８】表裏２枚の包装フィルムを重ねて４つの辺をシール形成する４方シールの包装袋に本発明を適用した場合の一例を示す正面図である。
【図９】特許文献１に記載の包装袋を示す正面図である。
【図１０】従来の包装袋の一例を示す正面図である。
【発明を実施するための形態】
【００１４】
以下に、本発明に係る実施の形態を、添付の図面を参照しつつ説明する。なお、以下で説明する実施の形態により、本発明が限定されるものではない。
【実施例１】
【００１５】
本発明の実施の形態の一例である実施例１の包装袋（包装体）１００は、連続的に供給される包装フィルムを搬送方向に沿って折り返して開放側を重畳させ、該重畳部分に対してサイドシール（搬送方向に沿った方向のシール（縦シール））を施して筒状包装袋を形成すると共に、搬送方向と略直交する横方向シール（横シール、エンドシール）を施し、該筒状包装袋内に原料充填ノズルを介して内容物を充填し、その後に筒状包装袋の上側部分にエンドシール（横シール）を施して封止することで３方がシールされた包装袋（以下、単に３方シール包装袋とも称する）である。なお、上述の各シールの方法としては、例えば、熱により溶着させるヒートシールが適合可能であるが、他のシール方法とすることも可能である。
【００１６】
実施例１の包装袋１００に用いられる包装フィルムは、例えば、ＰＥＴ等のベースフィルム、このベースフィルムよりも融点の低いポリエチレン等のヒートシールフィルムから構成されることができる。また、包装フィルムは、ベースフィルム、中間フィルム、ヒートシールフィルムの３層構造などとすることもできる。以下で述べる他の実施例についても同様である。
【００１７】
実施例１に係る包装袋１００は、図１に示すように、サイドシール１０１と、下側エンドシール１０２と、上側エンドシール１０３と、折り返し部１０４と、内容物収容部１０５と、を含んで構成されている。
【００１８】
また、内容物収容部１０５のサイドシール１０１側上部には、開封されたときに注ぎ口となるビン口部１０６が設けられている。なお、ビン口部１０６と内容物収容部１０５とは連通されている。
【００１９】
そして、実施例１に係る包装袋１００には、上側エンドシール１０３に、本発明に係る案内部（段差部）の一例である凸部１１０Ａ，１１０Ｂが、上側エンドシール１０３の長手方向に沿って２列（２条）設けられている。この２列の凸部１１０Ａ，１１０Ｂは、上側エンドシール１０３のビン口部１０６と反対側（図１では折り返し部１０４）の外縁或いはその付近からビン口部１０６付近まで延在されている。
【００２０】
凸部１１０Ａ，１１０Ｂの断面形状は、図２に示すように、上側エンドシール１０３に対して非シール部分１１４を残すことにより、両側のヒートシール部分１１３からヒートシールの際に非シール部分１１４側に溶出してくる部材により形成されるポリ溜り１１２を利用して表裏面から隆起させるような構成となっている。なお、このポリ溜り１１２は、冷えてある程度硬化する。
【００２１】
更に、実施例１では、２条の凸部１１０Ａ，１１０Ｂの間に、引き裂きを容易にするミシン目（引き裂き誘導疵）１１１が形成されている。
【００２２】
このミシン目（引き裂き誘導疵）１１１は、２列の凸部１１０Ａ，１１０Ｂと同様に、上側エンドシール１０３のビン口部１０６と反対側（図１では折り返し部１０４）の外縁或いはその付近からビン口部１０６付近まで延在されている。引き裂き誘導疵としては、ミシン目に限らず、レーザー疵、切断線などが想定可能である。
【００２３】
従って、開封しようとする者（開封者）は、視覚により或いは手の指の触覚により、凸部１１０Ａ，１１０Ｂの場所を認識することができ、一方の手の指で、２条のうちの上側の凸部１１０Ａ側（ミシン目１１１より上側）の上側エンドシール１０３である把持部１０３Ａを掴み、他方の手の指でミシン目１１１より下側の把持部１０３Ｂを掴んで凸部１１０Ａ，１１０Ｂ間のミシン目１１１に沿って把持部１０３Ａを引き裂くと、ビン口部１０６が、ミシン目１１１の延長線方向に開封されることになる。
【００２４】
これにより、把持部１０３Ａは包装袋１００から分離されると共に、ビン口部１０６はミシン目１１１の延長線にほぼ沿った適度な開口サイズで開封されることになるので、開封者は手などを汚すことなく、内容物をビン口部１０６を介して外部へ取り出すことが可能となる。
【００２５】
更に、実施例１では、ミシン目１１１の両側に沿って、比較的硬い部分であるポリ溜り１１２を有する凸部１１０Ａ，１１０Ｂが形成されているので、開封者が引き裂く際に、ミシン目１１１から引き裂き部が逸れてしまって、開封が斜めになったり、開封が不十分となるといったことがなく、良好に開封することができ、以って注ぎ特性を安定したものとすることができる。
【００２６】
すなわち、ミシン目（引き裂き誘導疵）１１１を挟んで両側に延在される凸部１１０Ａ，１１０Ｂは、引き裂きの際に、引き裂き部が注ぎ口１０６まで円滑に進展するように案内する機能を有するように構成されている。
【００２７】
このように、実施例１によれば、視覚により引き裂き部を確認し難いような場合でも、良好に引き裂き部を認識させることができると共に、正確に安定して開封することができ、以って正確に引き裂き部を開封して内容物を良好に取り出すことができる包装袋を提供することができる。
【実施例２】
【００２８】
本発明の実施の形態の一例である実施例２の包装袋（包装体）２００は、実施例１と同様の３方シール包装袋（包装体）である。なお、既に説明した要素と同一要素には、同一符号を付して詳細な説明は省略する。
【００２９】
実施例２に係る包装袋２００は、図２に示すように、サイドシール１０１と、下側エンドシール１０２と、上側エンドシール１０３と、折り返し部１０４と、内容物収容部１０５と、を含んで構成され、内容物収容部１０５のサイドシール１０１側上部には、開封されたときに注ぎ口となるビン口部１０６が設けられている。
【００３０】
そして、実施例２に係る包装袋２００には、上側エンドシール１０３に、本発明に係る案内部（段差部）の一例である凸部（或いは凹部）２１０Ａ，２１０Ｂが、上側エンドシール１０３の長手方向に沿って２列（２条）設けられている。この２列の凸部（或いは凹部）２１０Ａ，２１０Ｂは、上側エンドシール１０３のビン口部１０６と反対側（図３では折り返し部１０４）の外縁或いはその付近からビン口部１０６付近まで延在されている。
【００３１】
凸部（或いは凹部）２１０Ａ，２１０Ｂは、図４に示すように、上側エンドシール１０３に対してヒートシールの際に、例えば型押加工やエンボス加工などを同時に行うことで凸部（裏面からみると凹部）として形成されている。
【００３２】
更に、実施例２では、２条の凸部（或いは凹部）２１０Ａ，２１０Ｂの間に、引き裂きを容易にするミシン目（引き裂き誘導疵）２１１が形成されている。
【００３３】
このミシン目（引き裂き誘導疵）２１１は、２条の凸部（或いは凹部）２１０Ａ，２１０Ｂと同様に、上側エンドシール１０３のビン口部１０６と反対側（図３では折り返し部１０４）の外縁或いはその付近からビン口部１０６付近まで延在されている。
【００３４】
従って、開封者は、視覚により或いは手の指の触覚により、凸部（或いは凹部）２１０Ａ，２１０Ｂの場所を認識することができ、一方の手の指で、２条のうちの上側の凸部（或いは凹部）２１０Ａ（ミシン目２１１より上側）の上側エンドシール１０３である把持部１０３Ａを掴み、他方の手の指でミシン目２１１より下側の把持部１０３Ｂを掴んで凸部（或いは凹部）２１０Ａ，２１０Ｂ間のミシン目２１１に沿って把持部１０３Ａを引き裂くと、ビン口部１０６が、ミシン目２１１の延長線方向に開封されることになる。
【００３５】
これにより、把持部１０３Ａは包装袋２００から分離されると共に、ビン口部１０６はミシン目２１１の延長線にほぼ沿った適度な開口サイズで開封されることになるので、開封者は手などを汚すことなく、内容物をビン口部１０６を介して外部へ取り出すことが可能となる。
【００３６】
更に、実施例２では、ミシン目２１１の両側に沿って、型押加工やエンボス加工などにより変形されて比較的剛性の高い部分である凸部（或いは凹部）２１０Ａ，２１０Ｂが形成されているので、開封者が引き裂く際に、ミシン目２１１から引き裂き部が逸れてしまって、開封が斜めになったり、開封が不十分となるといったことがなく、良好に開封することができ、以って注ぎ特性を安定したものとすることができる。
【００３７】
すなわち、ミシン目（引き裂き誘導疵）２１１を挟んで両側に延在される凸部（或いは凹部）２１０Ａ，２１０Ｂは、引き裂きの際に、引き裂き部が注ぎ口１０６まで円滑に進展するように案内する機能を有するように構成されている。
【００３８】
このように、実施例２によれば、視覚により引き裂き部を確認し難いような場合でも、良好に引き裂き部を認識させることができると共に、正確に安定して開封することができ、以って正確に引き裂き部を開封して内容物を良好に取り出すことができる包装袋を提供することができる。
【００３９】
上述した各実施例では、内容物収容部１０５のサイドシール１０１側上部に、ビン口部１０６を配設した場合の例について説明したが、本発明はこれに限定されるものではなく、図５に示すように、ビン口部（注ぎ口）１０６を、内容物収容部１０５の折り返し部１０４側の上部付近に配設した場合にも、同様に適用可能である。
【００４０】
なお、この場合において、図５（Ａ）が実施例１（図１）に対応しており、図５（Ｂ）が実施例２（図２）に対応している。
【００４１】
また、図６（Ａ）、図６（Ｂ）に示すように、ミシン目１１１（２１１）の起点部にＶ字状の切り込み１１５（２１５）を形成することで、開封者は一層ミシン目１１１（２１１）の位置を認識し易くなると共に、引き裂きの際に起点が正確に生成されるため一層の引き裂き、延いては開封を容易かつ正確なものとすることができる。
【００４２】
なお、この場合において、図６（Ａ）が図５（Ａ）に対応しており、図６（Ｂ）が図５（Ｂ）に対応している。
【００４３】
更に、図７（Ａ）、図７（Ｂ）に示すように、ミシン目１１１（２１１）の起点部に、より大きな略Ｌ字状の切り込み１１６（２１６）を形成することで、開封者は一層ミシン目１１１（２１１）の位置を認識し易くなると共に、引き裂きの際に起点が正確に生成されるため一層の引き裂き、延いては開封を容易かつ正確なものとすることができる。
【００４４】
更に、上述した各実施例では、３方シール包装袋について説明したが、本発明はこれに限定されるものではなく、図８（Ａ）〜図８（Ｆ）に示すように、表裏２枚の包装フィルムを重ねて４つの辺をシール形成する４方シールの包装袋にも適用可能である。
【００４５】
ここにおいて、大凡のサイズ、各部寸法等の一例を、図９に示しておく。かかるサイズ、各部寸法によれば、開封者は、視覚により或いは手の指の触覚により、凸部（或いは凹部）延いては切り裂くべきミシン目の位置を良好に認識することができる。そして、開封者は、凸部（或いは凹部）延いては切り裂くべきミシン目の位置でビン口部１０６を開封することができ、延いては開封者は手などを汚すことなく、内容物をビン口部１０６を介して外部へ取り出すことができる。
【００４６】
以上で説明した実施の形態は、本発明を説明するための例示に過ぎず、本発明の要旨を逸脱しない範囲内において、種々変更を加え得ることは勿論である。
【符号の説明】
【００４７】
１００    包装袋（包装体）（実施例１）
１０１    サイドシール
１０２    下側エンドシール
１０３    上側エンドシール
１０４    折り返し部
１０５    内容物収容部
１０６    注ぎ口（ビン口）
１１０Ａ  凸部（上側）（案内部の一例）
１１０Ｂ  凸部（下側）（案内部の一例）
１１１    ミシン目（引き裂き誘導疵）
１１２    ポリ溜り
２００    包装袋（包装体）（実施例２）
２１０Ａ  凸部（或いは凹部）（上側）（案内部の一例）
２１０Ｂ  凸部（或いは凹部）（下側）（案内部の一例）
２１１    ミシン目（引き裂き誘導疵）
１１５、２１５    Ｖ字状の切り込み
１１６、２１６    略Ｌ字状の切り込み
【図１】
2014162488.tif 000003
【図２】
2014162488.tif 000004
【図３】
2014162488.tif 000005
【図４】
2014162488.tif 000006
【図５】
2014162488.tif 000007
【図６】
2014162488.tif 000008
【図７】
2014162488.tif 000009
【図８】
2014162488.tif 000010
【図９】
2014162488.tif 000011
【図１０】
2014162488.tif 000012